(57)【特許請求の範囲】
【請求項１】
容器の枠部分を構成する矩形状の容器用枠体であり、前記容器用枠体は、折り畳み可能に形成され、折り畳んだときに全体が扁平にできるものであって、
前記容器用枠体は、矩形状にしたとき、内面の一方の対角位置の一方の角部位置には、第１の折り曲げ溝として、開き角度が合わせて略９０度となるようにしてＶ形の折り曲げ溝が隣接して２条以上設けられており、他方の角部には、第２の折り曲げ溝として、開き角度が略９０度以上となるようにしてＶ形の折り曲げ溝が隣接して１条または１条以上設けられており、同じく内面の他方の対角位置の双方の角部位置には、第３および第４の折り曲げ溝として、開き角度が合わせて略１８０度となるようにしてＶ形の折り曲げ溝が隣接して２条以上設けられており、さらに、容器用枠体を折り畳んで扁平としたときに、枠体の内面であって少なくとも前記第１の折り曲げ溝が対面することとなる場所には、前記第１の折り曲げ溝を構成するＶ形の折り曲げ溝のエッジ部が接触しないように凹所が形成されていることを特徴とする容器用枠体。
【請求項２】
前記容器用枠体は、矩形状にしたとき正方形を形成するものであり、前記第２の折り曲げ溝のＶ溝の部分が、前記第１の折り曲げ溝を構成するＶ形の折り曲げ溝のエッジ部が接触しない凹所となっていることを特徴とする請求項１に記載の容器用枠体。
【請求項３】
請求項１または２に記載の容器用枠体であって、前記第１の折り曲げ溝は、開き角度が略４５度である隣接する２条のＶ形の折り曲げ溝であり、前記第２の折り曲げ溝は、開き角度が略９０度である隣接する２条のＶ形の折り曲げ溝であり、第３および第４の折り曲げ溝は、開き角度が略９０度である２条のＶ形の折り曲げ溝であることを特徴とする容器用枠体。
【請求項４】
請求項１ないし３のいずれか一項に記載の容器用枠体と該容器用枠体内に収容される容器本体の組み合わせからなる容器。
【請求項５】
請求項１ないし３のいずれか一項に記載の容器用枠体と該容器用枠体内に収容される底板の組み合わせからなる容器。
【発明の詳細な説明】
【技術分野】
【０００１】
本発明は、容器の枠部分を構成する矩形状の容器用枠体と、該容器用枠体を用いて構成される容器に関する。
【背景技術】
【０００２】
容器用枠体と該容器用枠体内に収容される容器本体とからなる容器、あるいは容器用枠体と該容器用枠体内に収容される底板の組み合わせからなる容器が、食品等の収容容器として知られている。この種の容器で用いられる容器用枠体は嵩容量が大きく、これを製造場所から搬出するときに搬送効率、あるいは非使用時での保管効率が悪いという問題がある。そこで、搬送効率および保管効率を向上させるため、容器用枠体を折り畳み可能とした構造のものが、特許文献１に記載されている。
【０００３】
特許文献１に記載の容器用枠体１は、図６（ａ）の側面図に示すように、展開したときは長尺状の部材であり、その両端部同士を接着一体化することで、図６（ｂ）に示すように、四角形状の枠体１とされる。四角形状の枠体１は、図６（ｃ）に示すように、扁平に折り畳み可能に形成されている。すなわち、枠体１を四角形状にしたとき、内面の一方の対角位置のそれぞれには、開き角度が４５度のＶ形の折り曲げ溝２、２および４、４が隣接して２条ずつ設けられており、同じく内面の他方の対角位置のそれぞれには、開き角度が９０度のＶ形の折り曲げ溝３、３および５、５が、その先端の間隔が、前記一方の対角位置に設けられた４５度のＶ形の折り曲げ溝の先端の間隔と同じになるように２条ずつ設けられている。
【先行技術文献】
【特許文献】
【０００４】
【特許文献１】特許３９６５３２１号公報
【発明の概要】
【発明が解決しようとする課題】
【０００５】
特許文献１に記載される容器用本体は、枠体を構成する帯状の枠材を扁平状にすることができ、さらには、枠体として使用するために四角形状にしたときには、他方の対角位置の折り曲げ溝は閉じてその溝面同士が突き当たる状態となり、その四角形の形状を安定的に保持できる利点がある。しかし、扁平状にしたときに、図６（ｃ）に示すように、開き角度が４５度のＶ形の折り曲げ溝２、２のエッジ部と溝４、４のエッジ部とが、衝接した状態となり、輸送時などに、扁平状にした枠体に過度の応力（荷重）が作用した場合、摩擦によりエッジ部に崩れが発生する恐れがある。エッジ部に崩れが生じると、枠状に広げたときに、９０度以下に曲がらないように構成したはずの折り曲げ溝２、２のエッジ部あるいは折り曲げ溝４、４のエッジ部が、９０度以下の角度に曲がってしまうようになり、開いた状態での枠体が所期の４角形状の姿勢を保持できなくなる恐れがある。すなわち、開いた姿勢で型崩れが発生する。
【０００６】
本発明は、上記の事情に鑑みてなされたものであり、矩形状の容器の枠部分を構成する折り畳み可能な枠体であって、扁平に折り畳んだ状態で過度の応力（荷重）が作用した場合でも、９０度以下に曲がらないように構成した折り曲げ溝のエッジ部に崩れが生じるのを効果的に阻止することができ、それにより、開いた姿勢としたときに所期の矩形状の姿勢を確実に保持することができるようにした容器用枠体を提供することを課題とする。また、そのよう起用枠体を用いて構成される容器を提供することを課題とする。
【課題を解決するための手段】
【０００７】
本発明による容器用枠体は、矩形状の容器の枠部分を構成する矩形状の容器用枠体であり、折り畳み可能に形成され、折り畳んだときに全体が扁平にできるものであって、前記容器用枠体は、矩形状にしたとき、内面の一方の対角位置の一方の角部位置には、第１の折り曲げ溝として、開き角度が合わせて略９０度となるようにしてＶ形の折り曲げ溝が隣接して２条以上設けられており、他方の角部には、第２の折り曲げ溝として、開き角度が略９０度以上となるようにしてＶ形の折り曲げ溝が隣接して１条または１条以上設けられており、同じく内面の他方の対角位置の双方の角部位置には、第３および第４の折り曲げ溝として、開き角度が合わせて略１８０度となるようにしてＶ形の折り曲げ溝が隣接して２条以上設けられており、さらに、容器用枠体を折り畳んで扁平としたときに、枠体の内面であって少なくとも前記第１の折り曲げ溝が対面することとなる場所には、前記第１の折り曲げ溝を構成するＶ形の折り曲げ溝のエッジ部が接触しないように凹所が形成されていることを特徴とする。
【０００８】
上記の容器用枠体では、前記第１の折り曲げ溝、すなわち開き角度が合わせて略９０度となるようされた２条以上のＶ形の折り曲げ溝を備えることで、矩形状に開いた姿勢において１つの角部を９０度に保持することができ、長方形状の枠体を安定的に形成することができる。一方、開き角度が合わせて略１８０度となるようされた２上以上の前記第３および第４の折り曲げ溝を備えることで、非使用時等において、枠体を全体が扁平に折り畳むことができる。
【０００９】
そして、扁平に折り畳んだ状態で、枠体の内面であって少なくとも前記第１の折り曲げ溝が対面することとなる場所には、前記第１の折り曲げ溝を構成するＶ形の折り曲げ溝のエッジ部が接触しないように凹所が形成されていることで、第１の折り曲げ溝を構成するＶ形の折り曲げ溝のエッジ部が対向する内面と接触することはなく、そのために、輸送時などに扁平状にした枠体に過度の応力（荷重）が作用した場合でも、前記エッジ部に摩擦により崩れが発生することはない。それにより、開いた状態での枠体は所期の矩形状の姿勢を確実に確保することができ、開いた姿勢での型崩れが発生することはない。
【００１０】
本発明による容器用枠体の一つの態様では、容器用枠体は矩形状にしたとき正方形を形成するものであり、前記第２の折り曲げ溝のＶ溝の部分が、前記第１の折り曲げ溝を構成するＶ形の折り曲げ溝のエッジ部が接触しない凹所となっていることを特徴とする。このように、開いたときに正方形を形成する容器用枠体の場合には、前記した「凹所」を別途形成する必要がないので、枠体内面の形状を簡素化することができる。
【００１１】
本発明による容器用枠体において、前記した第１のＶ字状の折り曲げ溝は、開き角度が合わせて略９０度を構成できることを条件に２条以上であればよく、第２のＶ字状の折り曲げ溝は、開き角度が合わせて９０度を構成できることを条件に１条または１条以上であればよく、第３および第４の折り曲げ溝は、開き角度が開き角度が合わせて略１８０度を構成できることを条件に２条以上であればよい。
【００１２】
その中でも、製造の容易性と形状の安定性を考慮すると、前記第１の折り曲げ溝は、開き角度が略４５度である隣接する２条のＶ形の折り曲げ溝であり、前記第２の折り曲げ溝は、開き角度が略９０度である隣接する２条のＶ形の折り曲げ溝であり、第３および第４の折り曲げ溝は、開き角度が略９０度である２条のＶ形の折り曲げ溝である容器用枠体は、より好ましい態様である。
【００１３】
本発明による容器は、上記の容器用枠体と該容器用枠体内に収容される容器本体の組み合わせからなる容器、および上記の容器用枠体と該容器用枠体内に収容される底板の組み合わせからなる容器である。上記のように、容器用枠体は開いたときの型崩れが生じがたいので、容器としても所期の形状を保持することができる。
【発明の効果】
【００１４】
本発明によれば、折り畳んだときに全体が扁平な姿勢となることができ、開いたときに１つの角度を９０度である矩形状に保持することができ、かつ輸送時などの摩擦によって９０度の角度を保持するためのＶ形の折り曲げ溝のエッジ部に崩れを生じさせない、より改良された容器用枠体、およびそれを用いた容器を得ることができる。
【図面の簡単な説明】
【００１５】
【図１】本発明による第１の形態の容器用枠体（ｂ）とそれと共に用いる容器本体とを説明するための斜視図（ａ）
【図２】第１の形態の容器用枠体の展開図（ａ）と、開いた状態での上面図（ｂ）と、折り畳んだ状態の側面図（ｃ）。
【図３】容器用枠体が平面視で長方形である場合の不都合を説明するための図。
【図４】本発明による第２の形態の容器用枠体の一例の展開図（ａ）と、開いた状態での上面図（ｂ）と、折り畳んだ状態の側面図（ｃ）。
【図５】本発明による第２の形態の容器用枠体の他の例の展開図（ａ）と、開いた状態での上面図（ｂ）と、折り畳んだ状態の側面図（ｃ）。
【図６】従来の容器用枠体の展開図（ａ）と、開いた状態での上面図（ｂ）と、折り畳んだ状態の側面図（ｃ）。
【発明を実施するための形態】
【００１６】
以下、図面を参照して、本発明の実施の形態を説明する。
［第１の形態］
図１と図２は、本発明による容器用枠体および容器の第１の実施の形態を示す。第１の形態において、容器用枠体Ａ１は表皮を備えた発泡樹脂製であり、図１（ｂ）に示すように、開いた状態では、高さがｈであり、平面視で角部が隅取りされた正方形を形成する。以下の説明では、図１（ｂ）に示す正方形に開いた状態で、内面の一方の対角位置にある２つの角部を第１角部ａおよび第２角部ｂと呼び、内面の他方の対角位置にある２つの角部を第３角部ｃおよび第４角部ｄと呼ぶこととする。そして、第１角部ａには第１の折り曲げ溝１０が、第２角部ｂには第２の折り曲げ溝２０が、第３角部ｃには第３の折り曲げ溝３０が、そして、第４角部ｄには第４の折り曲げ溝４０が、それぞれ形成されている。
【００１７】
容器用枠体Ａ１を平面に展開した状態が、図２（ａ）に示される。図２（ａ）に示すように、第１角部ａを構成する第１の折り曲げ溝１０は、開き角度が４５度である互いに平行な２条のＶ溝１１、１２で構成されており、Ｖ溝１１、１２の溝底間の距離はｓとされている。第２角部ｂを構成する第２の折り曲げ溝２０は、開き角度が９０度である互いに平行な２条のＶ溝２１、２２で構成されており、Ｖ溝２１、２２の溝底間の距離もｓとされている。第３角部ｃを構成する第３の折り曲げ溝３０は、開き角度が９０度である互いに平行な２条のＶ溝３１、３２で構成されており、Ｖ溝３１、３２の溝底間の距離もｓとされている。第４角部ｄを構成する第４の折り曲げ溝４０は、開き角度が９０度である互いに平行な２条のＶ溝４１、４２で構成されており、Ｖ溝４１、４２の溝底間の距離もｓとされている。
【００１８】
また、Ｖ溝１２とＶ溝３１の溝底間の距離、Ｖ溝３２とＶ溝２１の溝底間の距離、Ｖ溝４２とＶ溝１１の溝底間の距離は、すべて等しく、ｒとされている。さらに、Ｖ溝２２から容器用枠体Ａ１の一方の端縁１３までの距離ｒ１と、Ｖ溝４２から容器用枠体Ａ１の他方の端縁１４までの距離ｒ２とを合わせた距離が前記距離ｒとなるようにされている。
【００１９】
容器用枠体Ａ１を前記端縁１３、１４を接着剤で接合して平面視正方形とした状態が図２（ｂ）に示される。また、その斜視図が図１（ｂ）に示される。正方形に組み立てた状態で、容器用枠体Ａ１の前記第１角部ａ〜第４角部ｄには幅ｓである隅取り部が形成され、各隅取り部間の距離はすべてｒとなる。そして、第１角部ａは、Ｖ溝１１、１２の開き角度が４５度であることから、Ｖ溝１１、１２が完全に閉じた状態で９０度の角度とされており、第２の角部ｂ、第３の角部ｃ、第４の角部ｄは、それぞれの２条のＶ溝がほぼ４５度までに閉じた状態で、９０度の角度とされている。
【００２０】
図２（ｃ）は、容器用枠体Ａ１を図２（ｂ）に示す開いた姿勢から、第１角部ａと第２角部ｂを対面するようにして、扁平に折り畳んだ状態を示している。この姿勢では、第３の角部ｃと第４角部ｄは、それぞれの２条のＶ溝がほぼ閉じた状態となり、第１角部ａは２条のＶ溝が４５度に開いた状態となり、第２角部ｂは２条のＶ溝が９０度に開いた状態となることで、図示のように扁平な姿勢となることができる。その扁平となった姿勢で、第１角部ａの２条のＶ溝１１、１２のエッジ部は、９０度に開いた姿勢にある第２角部ｂの２条のＶ溝２１、２２の開放部に位置するようになる。したがって、第２角部ｂの２条のＶ溝２１、２２の開放部が、本発明でいう「第１の折り曲げ溝を構成するＶ形の折り曲げ溝のエッジ部が接触しない凹所」を構成していることとなる。
【００２１】
そのために、図２（ｃ）に示すように扁平に折り畳まれた容器用枠体Ａ１を多段に積み重ねて輸送するときなどに、扁平状にした枠体Ａ１に過度の応力（荷重）が作用した場合でも、第１角部ａの２条のＶ溝１１、１２のエッジ部に摩擦により崩れが発生するのを回避することができる。それにより、図１（ｂ）、図２（ｂ）に示す開いた状態としたときに、第１角部ａの曲げ角度を所期の９０度に維持することが可能となる。なお、上記のように開いた姿勢とされた枠体Ａ１には、図１（ａ）に示すように適宜形状の有底の容器本体Ｂが取り付けられ、容器として用いられる。なお、容器本体Ｂにおいて、Ｂ１は、開いた姿勢とされた枠体Ａ１の形状を保持するために設けられた凹溝であり、該凹溝Ｂ１内に、容器用枠体Ａ１の上縁が入り込む。
【００２２】
［第２の形態］
図３、図４、図５に基づき、本発明による容器用枠体および容器の第２の形態を示す。第２の形態の容器用枠体Ａ２は、平面視で長方形をなすことで、図１、図２に示した平面視で正方形である容器用枠体Ａ１と相違する。図３（ａ）（ｂ）（ｃ）は、図２（ａ）（ｂ）（ｃ）に相当する図であり、図２に示した容器用枠体Ａ１を平面視で正方形でなく、長方形とした場合を示している。図３において、図２に対応する部分には同じ符号を付している。
【００２３】
図示されるように、図３に示す容器用枠体Ａｘでは、Ｖ溝１２とＶ溝３１の溝底間の距離と、Ｖ溝２２から容器用枠体Ａ１の一方の端縁１３までの距離ｒ１とＶ溝４２から容器用枠体Ａ１の他方の端縁１４までの距離ｒ２とを合わせた距離とは、共に距離ｒとされており、Ｖ溝３２とＶ溝２１の溝底間の距離と、Ｖ溝４２とＶ溝１１の溝底間の距離は、共に距離Ｒ（＞ｒ）とされている。その点を除き、各Ｖ溝等の構成は、容器用枠体Ａ１と同じである。
【００２４】
この形態の容器用枠体Ａｘでは、それを折り畳んだ扁平な姿勢としたときに、図３（ｃ）に示すように、第１角部ａの２条のＶ溝１１、１２のエッジ部は、９０度に開いた姿勢にある第２角部ｂの２条のＶ溝２１、２２の開放部に位置するのではなく、長さがＲである壁面の平坦な内面に当接した状態となる。この状態では、扁平に折り畳まれた容器用枠体Ａｘを多段に積み重ねて輸送するときなどに、扁平状にした枠体Ａｘに過度の応力（荷重）が作用した場合、第１角部ａの２条のＶ溝１１、１２のエッジ部に摩擦により崩れが発生するのを回避するができない。
【００２５】
図４および図５は、上記の不都合を解消した本発明による第２の形態の容器用枠体Ａ２の２つの態様を示している。なお、図４（ａ）（ｂ）（ｃ）および図５（ａ）（ｂ）（ｃ）は、共に、図３（ａ）（ｂ）（ｃ）に相当する図であり、図４、図５において、図２および図３に対応する部分には同じ符号を付すことで、詳細な説明は省略する。
【００２６】
第２の形態の容器用枠体Ａ２において、図４に示す容器用枠体Ａ２では、図４（ｃ）に示すように、折り畳んだ状態で第１角部ａの２条のＶ溝１１、１２のエッジ部が対面する内面領域には、２条のＶ溝１１、１２を跨ぐ広さの弧状の凹所５０ａが形成されており、図５に示す容器用枠体Ａ２では、図５（ｃ）に示すように、折り畳んだ状態で第１角部ａの２条のＶ溝１１、１２のエッジ部が対面する内面領域には、２条のＶ溝１１、１２を跨ぐ広さの切り欠き溝５０ｂが形成されている。
【００２７】
そのために、第２の形態の容器用枠体Ａ２では、扁平となった姿勢で、第１角部ａの２条のＶ溝１１、１２のエッジ部は、前記凹所５０ａ内に位置するか（図４に示す容器用枠体Ａ２の場合）、または、切り欠き溝５０ｂ内に位置する（図５に示す容器用枠体Ａ２の場合）こととなる。ここでは、前記凹所５０ａおよび切り欠き溝５０ｂが、本発明でいう「第１の折り曲げ溝を構成するＶ形の折り曲げ溝のエッジ部が接触しない凹所」を構成する。
【００２８】
そのために、第２の形態の容器用枠体Ａ２においても、扁平状にした枠体Ａ２に過度の応力（荷重）が作用した場合でも、第１角部ａの２条のＶ溝１１、１２のエッジ部に摩擦により崩れが発生するのを回避することができる。それにより、図４（ｂ）、図５（ｂ）に示す開いた状態としたときに、第１角部ａの曲げ角度を所期の９０度に維持することが可能となる。
【００２９】
［他の形態］
第１の形態の容器用枠体Ａ１および第２の形態の容器用枠体Ａ２において、前記第１角部ａが、開き角度が４５度である互いに平行な２条のＶ溝１１、１２で構成されることは、加工的に好ましい態様であるが、これに限らず、特に図示しないが、第１角部ａは、開き角度が合わせて略９０度となるようにして形成された２条以上のＶ形の折り曲げ溝によって構成されていてもよい。また、第３角部ｃおよび第４角部ｄを開き角度が９０度である互いに平行な２条のＶ溝で構成されることは、加工的に好ましい態様であるが、ここでもこれに限らず、特に図示しないが、第３角部ｃおよび第４角部ｄは、開き角度が合わせて略１８０度となるようにして形成された２条以上のＶ形の折り曲げ溝によって構成されていてもよい。
【００３０】
第１の形態の容器用枠体Ａ１において、前記第２角部ｂが、開き角度が９０度である互いに平行な２条のＶ溝２１、２２で構成されることは、加工的に好ましい態様であるが、これに限らず、特に図示しないが、第２角部ｂは、第１角部ａを構成するＶ溝１１、１２がそのＶ字溝の空間部に位置できることを条件に、開き角度が合わせて略９０度となるようにして形成された２条以上のＶ形の折り曲げ溝によって構成されていてもよい。
【００３１】
第２の形態の容器用枠体Ａ２において、前記第２角部ｂが、開き角度が９０度である互いに平行な２条のＶ溝２１、２２で構成されることは、加工的に好ましい態様であるが、これに限らず、特に図示しないが、第２角部ｂが開いた姿勢で９０度を確保できることを条件に１条あるいは２条以上のＶ形の折り曲げ溝によって構成されていてもよい。
【符号の説明】
【００３２】
Ａ…容器用枠体、
Ｂ…容器用枠体と共に用いる容器本体、
ａ〜ｄ…容器用枠体の４つの角部位置、
１０〜４０…各角部位置に形成される折り曲げ溝、
１１、１２、２１、２２、３１、３２、４１、４２…各折り曲げ溝を構成するＶ溝、
５０ａ、５０ｂ…第１の折り曲げ溝を構成するＶ形の折り曲げ溝のエッジ部が接触しないように形成された凹所。
【図１】
0005892830.tif 000002
【図２】
0005892830.tif 000003
【図３】
0005892830.tif 000004
【図４】
0005892830.tif 000005
【図５】
0005892830.tif 000006
【図６】
0005892830.tif 000007